(57)【要約】【課題】多種の電子カードを同一の収納スペースに収納でき、良好な遮蔽効果が得られるカード用コネクタを提供する。【解決手段】本考案のカード用コネクタは、絶縁性本体と、絶縁性本体に取り付ける蓋体と、絶縁性本体を覆う金属シールドと、を備える。金属シールドは、板状部と、板状部から突出する複数の突出壁と、を含む。絶縁性本体には、絶縁性本体と、シールドの板状部と、突出壁とから形成される挿入スロットと、該挿入スロットに収納される複数の導電端子グループと、を備えることを特徴とする。【選択図】図２
0003128515.tif 000002
【実用新案登録請求の範囲】
【請求項１】
絶縁性本体と、
前記絶縁性本体に取り付けられる蓋体と、
前記絶縁性本体に取り付けられ、板状部と、該板状部から突出する複数の突出壁と、を含むシールドと、
前記絶縁性本体と前記シールドの板状部と前記突出壁とから形成される少なくとも一つの挿入スロットと、
該挿入スロットに収納される複数の導電端子グループと、
を備えることを特徴とするカード用コネクタ。
【請求項２】
前記絶縁性本体は、前記シールドの突出壁の高さの寸法より小さい深さを有し、前記シールドの突出壁が挿入される複数の溝が形成された複数の側壁を有し、前記溝に部分的に挿入される前記シールドの突出壁が部分的に前記側壁から突出することを特徴とする、請求項１に記載のカード用コネクタ。
【請求項３】
前記挿入スロットは、前記絶縁性本体と、前記シールドの板状部と、前記側壁から部分的に突出する前記突出壁とから形成される第１挿入スロットであり、前記端子グループは、前記蓋体に挿入されて前記第１挿入スロットに向かって突出する複数の第１導電端子を含むことを特徴とする、請求項２に記載のカード用コネクタ。
【請求項４】
前記蓋体には、前記複数の第１導電端子に対応する複数の端子挿入孔が形成されていることを特徴とする、請求項３に記載のカード用コネクタ。
【請求項５】
前記絶縁性本体の複数の側壁には、階段状に形成された第１、及び第２段差部が設けられることを特徴とする、請求項２に記載のカード用コネクタ。
【請求項６】
前記絶縁性本体は、前記シールドによって前記複数の第１段差部の間に形成される第２挿入スロットを有し、前記端子グループは、前記絶縁性本体の前端に挿入されて前記第２挿入スロットに向かって突出する、複数の第２導電端子を含むことを特徴とする、請求項５に記載のカード用コネクタ。
【請求項７】
前記絶縁性本体は、前記シールドによって前記複数の第２段差部の間に形成される第３挿入スロットを有し、前記端子グループは、前記絶縁性本体の後端に挿入されて前記第３挿入スロットに向かって突出する複数の第３導電端子を含むことを特徴とする、請求項５に記載のカード用コネクタ。
【請求項８】
前記絶縁性本体は基部を含み、前記複数の側壁は、前記基部から突出する第１、第２、第３側壁を具備し、前記複数の溝が、前記第１側壁に形成される第３溝と、前記第２側壁に設けられた第１凸状部片に形成された第１溝と、第３側壁に設けられた第２凸状部片に形成される第２溝と、を有することを特徴とする、請求項２に記載のカード用コネクタ。
【請求項９】
前記絶縁性本体には、阻止部が設けられることを特徴とする、請求項２に記載のカード用コネクタ。
【請求項１０】
前記蓋体と前記シールドとは一体に形成されることを特徴とする、請求項２に記載のカード用コネクタ。
【請求項１１】
前記シールドは、板状部と、該板状部の後端から延在する一対の延在ビームと、を含むことを特徴とする、請求項１０に記載のカード用コネクタ。
【請求項１２】
前記シールドの突出壁は、前記板状部の両側から下向きに突出する第１、第２突出壁と、前記延在ビームから下向きに突出する第３突出壁と、を有することを特徴とする、請求項１１に記載のカード用コネクタ。
【請求項１３】
前記絶縁性本体には定位部が設けられ、前記シールドの板状部には、前記定位部と係合する定位孔が形成されることを特徴とする、請求項１２に記載のカード用コネクタ。
【請求項１４】
前記第３突出壁には、弾力アームが設けられることを特徴とする、請求項１２に記載のカード用コネクタ。
【請求項１５】
前記シールドには、複数の半田接続部が設けられることを特徴とする、請求項１に記載のカード用コネクタ。
【請求項１６】
絶縁性本体と、
前記絶縁性本体に取り付けられる蓋体と、
前記絶縁性本体に取り付けられ、板状部と、該板状部から突出する複数の突出壁と、を含むシールドと、
前記絶縁性本体と、前記シールドの板状部と、前記突出壁とから形成される少なくとも一つの挿入スロットと、
該挿入スロットに収納される複数の導電端子グループと、
前記挿入スロットに挿入され、前記導電端子グループに接触する少なくとも一つの電子カードと、
を備えることを特徴とするカード用コネクタの組み合わせ。
【請求項１７】
前記絶縁性本体は、前記シールドの突出壁の高さの寸法より小さい深さを有するとともに、前記シールドの突出壁が挿入される複数の溝が形成された複数の側壁を有し、前記溝に部分的に挿入される前記シールドの突出壁が部分的に前記側壁から突出することを特徴とする、請求項１６に記載のカード用コネクタの組み合わせ。
【請求項１８】
前記挿入スロットは、前記絶縁性本体と、前記シールドの板状部と、前記側壁から部分的に突出する前記突出壁とから形成される第１挿入スロットであり、前記端子グループは、前記蓋体に挿入されて第１挿入スロットに向かって突出する複数の第１導電端子を含み、前記電子カードは、該第１挿入スロットに挿入されて前記第１導電端子に接触する第１電子カードであることを特徴とする、請求項１７に記載のカード用コネクタの組み合わせ。
【請求項１９】
前記絶縁性本体の複数の側壁には、階段状に形成された第１、第２段差部が設けられることを特徴とする、請求項１７に記載のカード用コネクタの組み合わせ。
【請求項２０】
前記絶縁性本体は、前記シールドによって前記複数の第１段差部の間に形成される第２挿入スロットを有し、前記端子グループは、前記絶縁性本体の前端に挿入されて前記第２挿入スロットに向かって突出する複数の第２導電端子を含み、前記電子カードは、該第２挿入スロットに挿入されて前記第２導電端子に接触する第２電子カードであることを特徴とする、請求項１９に記載のカード用コネクタの組み合わせ。
【請求項２１】
前記絶縁性本体は、前記シールドによって前記複数の第２段差部の間に形成される第３挿入スロットを有し、前記端子グループは、前記絶縁性本体の後端に挿入されて前記第３挿入スロットに向かって突出する複数の第３導電端子を含み、前記電子カードは、該第３挿入スロットに挿入されて前記第３導電端子に接触する第３電子カードであることを特徴とする、請求項１９に記載のカード用コネクタの組み合わせ。 
【考案の詳細な説明】
【技術分野】
【０００１】
本考案は、多種の電子カードを同一の収納スペースに収納するために用いられるカード用コネクタに関するものである。
【背景技術】
【０００２】
従来技術のカード用コネクタとして、特許文献１に開示されたカード用コネクタが知られ、このカード用コネクタは、複数の側壁を含む絶縁性本体と、前記側壁を覆う複数の突出壁とを含み、該絶縁性本体に取り付けられた金属蓋体と、排出機構と、を有する。絶縁性本体には、電子カードを収納する収納スロットが形成される。該収納スロットは、金属蓋体の上面と、絶縁性本体の複数の側壁とで囲まれることによって形成される。
【特許文献１】米国特許第６６９２２７７号明細書
【考案の開示】
【考案が解決しようとする課題】
【０００３】
特許文献１に示すカード用コネクタは、収納スロットが金属蓋体の上面と、絶縁性本体の複数の側壁とによって囲まれている。この電子カードが挿入される電気コネクタでは、良好な遮蔽効果が得られない。
【０００４】
そこで本考案は、上述の従来技術の問題に鑑み、良好な遮蔽効果が得られるカード用コネクタを提供することを目的とする。
【課題を解決するための手段】
【０００５】
本考案のカード用コネクタは、絶縁性本体と、絶縁性本体に取り付けられた蓋体と、絶縁性本体を覆う金属シールドと、を備える。金属シールドは、板状部と、板状部から突出する複数の突出壁と、を含む。絶縁性本体には、絶縁性本体と、シールドの板状部と、突出壁とから形成される挿入スロットと、該挿入スロットに収納される複数の導電端子グループと、を備えることを特徴とする。
【考案の効果】
【０００６】
従来の技術に比較して本考案は以下の効果を有する。該挿入スロットは、上方で金属シールドの板状部にカバーされるだけではなくて、側方で金属シールドの突出壁に包囲される。これにより、該カード用コネクタでは、良好な遮蔽効果が得られる。
【考案を実施するための最良の形態】
【０００７】
以下、この考案の実施の形態を添付の図を参照して説明する。
【０００８】
図１〜図３を参照すると、該カード用コネクタ１００は、ＳＭカード（Ｓｍａｒｔ  Ｍｅｄｉａ（登録商標）  Ｃａｒｄ）２００と、ＳＤカード（Ｓｅｃｕｒｅ  Ｄｉｇｉｔａｌ  Ｃａｒｄ）３００と、ＭＭＣカード（Ｍｕｌｔｉｍｅｄｉａ  Ｃａｒｄ，図示せず）と、ＭＳ（Ｍｅｍｏｒｙ  Ｓｔｉｃｋ）カード４００とを、収納できる。該カード用コネクタ１００は、絶縁性本体１と、一体に形成された金属シールド２及び蓋体３と、蓋体３に挿入される複数の第１導電端子４と、絶縁性本体１に挿入される複数の第２、第３導電端子５、６と、を有する。
【０００９】
図２および図３に示すように、絶縁性本体１は、板状の基部１１と、基部１１から突出して一体に形成される第１、第２、第３側壁１２、１３、１４と、を有する。第１側壁１２の上表面には、縦方向に沿って延在し、所定の深さを有する溝部１２４が形成される。第１側壁１２、及び第３側壁１４の内側の前端には、階段状に形成された第１、第２段差部１２１、１２２が設けられている。第１側壁１２の内側には、前向きに突出する阻止部１２３が設けられている。第３側壁１４には、上向きに突出する定位部１４１が設けられている。第３側壁１４の前端と後端には、それぞれ、外側に向かって突出する第１、第２凸状部片１４２、１４３が設けられている。該第１、第２凸状部片１４２、１４３には、それぞれ、縦方向に沿って延在する第１、第２溝１４２１、１４３１が形成される。溝部１２４と、第１、第２溝１４２１、１４３１とは、同じ深度を有する。
【００１０】
蓋体３は、実質的に矩形の基部３１と、基部３１に形成された複数の端子挿入孔３２と、を具備する。
【００１１】
実質的にコ字状の金属シールド２は、定位部１４１に係合する定位孔２６が形成された矩形の板状部２０と、板状部２０の後端から延在する一対の延在ビーム２５と、を含む。板状部２０には、第１、第２突出壁２１，２２が、対向する両側から下向きに突出している。第１突出壁２１は、後向きに延在した、対応する延在ビーム２５に連接する。第２突出壁２２に隣接する延在ビーム２５の後端には、下向きに延在する第３突出壁２３が設けられる。該第１、第２、第３突出壁２１，２２，２３は、溝部１２４、第１、第２溝１４２１、１４３１の深さ寸法より大きい高さを具備する。第１、第３突出壁２１、２３には、それぞれ複数の半田接続部２４が設けられる。第３突出壁２３には、前向きに延在して、絶縁性本体１に挿入される電子カードを弾性的に挟む弾力アーム２３１が設置される。板状部２０と延在ビーム２５との上表面には、複数の弾力片２５１が設けられる。
【００１２】
図１に示すように、該カード用コネクタ１００を取り付ける時、第１導電端子４は、蓋体３に挿入される。第２、第３導電端子５，６は、それぞれ絶縁性本体１の前端と後端に装入される。次に、一体に形成された蓋体３と金属シールド２とは、絶縁性本体１に実装される。金属シールド２の第１、第２、第３突出壁２１，２２，２３の高さが、絶縁性本体１の溝部１２４、第１、第２溝１４２１、１４３１の深さ寸法より大きいことによって、第１、第２、第３突出壁２１，２２、２３は、それぞれ絶縁性本体１の溝部１２４と、第１、第２溝１４２１、１４３１とに部分的に挿入されて、部分的に溝部１２４と、第１、第２溝１４２１、１４３１とから突出する。これにより、金属シールド２と絶縁性本体１の間には、収納スロット１５と開口部１６が形成される。収納スロット１５は、金属シールド２の板状部２０と第１、第２突出壁２１，２２と絶縁性本体１の第２側壁１２，１４の上表面とで囲まれる第１挿入スロット１５１と、一対の第１段差部１２１の間に形成される第２挿入スロット１５２と、一対の第２段差部１２２の間に形成される第３挿入スロット１５３と、を含む。第１、第２、第３導電端子４，５，６は、挿入スロット１５に向かって突出する。金属シールド２の定位孔２６は、絶縁性本体１の定位部１４１に係合する。
【００１３】
図４及び図５に示すように、導電端子（図示せず）を上表面に設置されたＳＭカード２００は、使用される時、開口部１６から第１挿入スロット１５１に挿入されて、蓋体３に装入された複数の第１導電端子４を端子挿入孔３２に向かって押圧する。ＳＭカード２００は、導電端子が第１導電端子に接触して電気接続される。
【００１４】
図６及び図７に示すように、導電端子（図示せず）を前端の下表面に設置されたＳＤカード３００は、開口部１６から、第２挿入スロット１５２に挿入されて、阻止部１２３に当接することによって、定位置に保持される。挿入されたＳＤカード３００は、絶縁性本体１に装入された複数の第２導電端子５に接触して電気接続される。ＳＤカード３００より厚いＭＭＣカードは、第２挿入スロット１５２に挿入されることができ、第２導電端子５に接触して電気接続され得る。
【００１５】
図８及び図９に示すように、導電端子（図示せず）を前端の下表面に設置されたＭＳカード４００は、開口部１６から第３挿入スロット１５３に挿入される。ＳＤカード３００より狭いＭＳカード４００は、阻止部１２３を通り越し、絶縁性本体１の後端に実装された複数の第３導電端子６に接触して電気接続される。
【００１６】
以上、本考案について、最良の実施の形態を参照して詳細に説明したが、実施形態はあくまでも例示的なものであり、これらに限定されるものではない。また前記の説明、本考案に基づきなし得る細部の修正或は変更などは、いずれも本考案の実用新案登録請求の範囲に属するものである。
【図面の簡単な説明】
【００１７】
【図１】本考案のカード用コネクタの組み合わせの斜視図である。
【図２】図１に示すカード用コネクタの分解斜視図である。
【図３】図１に示すカード用コネクタの別の分解斜視図である。
【図４】ＳＭカードが挿入される時のカード用コネクタの正面図である。
【図５】図４に示すＳＭカードが挿入される時のカード用コネクタのＶ―Ｖ線切断断面図である。
【図６】ＳＤカードが挿入される時のカード用コネクタの正面図である。
【図７】図６に示すＳＤカードが挿入される時のカード用コネクタのＶＩＩ―ＶＩＩ線切断断面図である。
【図８】ＭＳカードが挿入される時のカード用コネクタの正面図である。
【図９】図８に示すＭＳカードが挿入される時のカード用コネクタのＩＸ―ＩＸ線切断断面図である。
【符号の説明】
【００１８】
１  絶縁性本体
２  金属シールド
３  蓋体
４  第１導電端子
５  第２導電端子
６  第３導電端子
１１  基部
１２  第１側壁
１３  第２側壁
１４  第３側壁
１５  収納スロット
１６  開口部
２０  板状部
２１  第１突出壁
２２  第２突出壁
２３  第３突出壁
２４  半田接続部
２６  定位孔
３１  基部
３２  端子挿入孔
１００  カード用コネクタ
１２１  第１段差部
１２２  第２段差部
１２３  阻止部
１２４  溝部
１４１  定位部
１４２  第１凸状部片
１４３  第２凸状部片
１５１  第１挿入スロット
１５２  第２挿入スロット
１５３  第３挿入スロット
２００  ＳＭカード
２３１  弾力アーム２５１  弾力片
３００  ＳＤカード
４００  ＭＳカード
１４２１  第１溝
１４３１  第２溝 
【図１】
0003128515.tif 000003
【図２】
0003128515.tif 000004
【図３】
0003128515.tif 000005
【図４】
0003128515.tif 000006
【図５】
0003128515.tif 000007
【図６】
0003128515.tif 000008
【図７】
0003128515.tif 000009
【図８】
0003128515.tif 000010
【図９】
0003128515.tif 000011
【手続補正書】
【提出日】平成18年11月2日(2006.11.2)
【手続補正１】
【補正対象書類名】明細書
【補正対象項目名】０００８
【補正方法】変更
【補正の内容】
【０００８】
図１〜図３を参照すると、該カード用コネクタ１００は、ＳＭカード（Ｓｍａｒｔ  Ｍｅｄｉａ（登録商標）  Ｃａｒｄ）２００と、ＳＤカード（Ｓｅｃｕｒｅ  Ｄｉｇｉｔａｌ（登録商標）  Ｃａｒｄ）３００と、ＭＭＣカード（Ｍｕｌｔｉｍｅｄｉａ  Ｃａｒｄ（登録商標），図示せず）と、ＭＳ（Ｍｅｍｏｒｙ  Ｓｔｉｃｋ（登録商標））カード４００とを、収納できる。該カード用コネクタ１００は、絶縁性本体１と、一体に形成された金属シールド２及び蓋体３と、蓋体３に挿入される複数の第１導電端子４と、絶縁性本体１に挿入される複数の第２、第３導電端子５、６と、を有する。